(57)【特許請求の範囲】
【請求項１】
内面に熱可塑性樹脂層を有する積層フィルムからなり、対向する平面板間の両側部に内方への折込部を形成し前記折込部の端縁に４箇所の長手方向熱接着部を設け、前記長手方向熱接着部に直交した上下開口を閉止する横方向熱接着部を設けたガセット袋であって、前記ガセット袋の対向する前記平面板の外面の上下方向の同位置に前記横方向熱接着部に平行に全幅にわたって１軸延伸フィルムからなるテープ材が接着され、前記長手方向熱接着部における前記テープ材の端縁に切目が設けられた構成からなり、さらに前記テープ材が接着された位置に対応する前記折込部の積層フィルムに折目に隣接する切欠が形成され、前記切欠から露出する前記積層フィルムの前記熱可塑性樹脂層面同士が熱接着されるとともに、前記切欠が形成された部分の全体を覆うように前記長手方向熱接着部の内端から内方に突出する突出熱接着部が形成されていることを特徴とする易開封袋。
【発明の詳細な説明】
【０００１】
【発明の属する技術分野】
本発明は、横方向に引き裂いて簡単に開封できるガセット袋に関する。
【０００２】
【従来の技術】
従来、袋の両側端部を内方へ折り込んだ形状のガセット袋を横方向に簡単に引き裂いて開封できるようにしたものとしては、ガセット袋の縦方向の端縁部にて袋の両側端部において内方へ折込んだ部分を外側に折り返してフラットな状態とし、フラットな状態にした部分に開封手段を設けて開封しやすくした構成のものが知られている。しかしながら、この構成の場合は、引き裂き部をフラットな状態として開封できるようにしたものであって、両側端部を内方へ折り込んだガセット袋の状態で横方向に引き裂いて開封するものではなく、ガセット袋の状態で横方向に簡単に引き裂いて開封する適当な方法がないのが現状である。
【０００３】
【発明が解決しようとする課題】
本発明の目的は、横方向に引き裂いて簡単に開封することのできるガセットタイプの易開封袋を提供することである。
【０００４】
【課題を解決するための手段】
内面に熱可塑性樹脂層を有する積層フィルムからなり、対向する平面板間の両側部に内方への折込部を形成し前記折込部の端縁に４箇所の長手方向熱接着部を設け、前記長手方向熱接着部に直交した上下開口を閉止する横方向熱接着部を設けたガセット袋であって、前記ガセット袋の対向する前記平面板の外面の上下方向の同位置に前記横方向熱接着部に平行に全幅にわたって１軸延伸フィルムからなるテープ材が接着され、前記長手方向熱接着部における前記テープ材の端縁に切目が設けられた構成からなり、さらに前記テープ材が接着された位置に対応する前記折込部の積層フィルムに折目に隣接する切欠が形成され、前記切欠から露出する前記積層フィルムの前記熱可塑性樹脂層面同士が熱接着されるとともに、前記切欠が形成された部分の全体を覆うように前記長手方向熱接着部の内端から内方に突出する突出熱接着部が形成されている易開封袋であるので、長手方向熱接着部におけるテープ材の端縁の中央に形成された切目の箇所から引き裂くことにより、切目に沿って１軸延伸フィルムからなるテープ材が容易に引き裂けるとともにテープ材が接着されている積層フィルムを同時に引き裂くことができるので、ガセット袋を横方向に引き裂いて容易に開封することができるものである。
【０００５】
上記の開封袋において、折込部の積層フィルムに切欠が形成されているので切欠が形成された長手方向熱接着部は積層フィルムが２層となっているとともに上下の長手方向熱接着部が切欠を通して接着され一体化されているので、テープ材の端縁の切目の箇所からきわめて容易に引き裂くことができるので開封がより容易となる。
【０００６】
【発明の実施の形態】
以下、図面を引用して本発明の実施の形態を説明する。
図１は本発明の易開封袋の実施形態を示す斜視図、図２は図１におけるＩ−Ｉ断面図、図３は実施形態の易開封袋を開封する状態を示す斜視図、図４は実施形態の易開封袋を作製する積層フイルムの展開した状態を示す図、図５は製造途中の状態を示すもので（イ）はガセット袋に製袋した状態の平面図で（ロ）は平面板にテープ材を接着した状態の平面図であって、１は積層フイルム、11は基材層、12は熱可塑性樹脂層、２は長手方向熱接着部、2aは突出熱接着部、３は横方向熱接着部、４は折込部、５はテープ材、６は切目、７は折目、８は切欠をそれぞれ表す。
【０００７】
本発明の易開封袋の実施形態は図１、図２に示すとおりであり、基材層11と熱可塑性樹脂層12が積層された積層フイルム１からなり、両側端に内方への折込部４が形成され、左右の側端に沿って４箇所の長手方向熱接着部２が形成され、長手方向熱接着部２に直交する端縁部に横方向熱接着部３が形成されたガセット袋であって、開封予定部となるテープ材５が接着される位置に対応して長手方向熱接着部２の内端から内方に突出する突出熱接着部2aが形成されるとともに、突出熱接着部2aが形成された位置に対応する折込部４の折目７の近傍に切欠８が形成され、突出熱接着部2aおよび切欠８が形成された位置に対応するガセット袋の対向する平面板の外面に横方向熱接着部３に平行にテープ材５が接着されており、接着されたテープ材５の両端のテープ材５の幅方向の中央部に切目６がそれぞれ形成された構成である。
【０００８】
ガセット袋の平面板の外面に接着されたテープ材５の端縁部、即ち、引き裂き開始部の断面構成は、図２に示すとおり、折込部４の積層フイルム１に切欠８が形成されており、切欠８が形成された領域においては平面板を構成する積層フイルム１の熱接着性樹脂層12面同士が熱接着されているので、上下の長手方向熱接着部２同士が切欠８の部分にて互いに接着されて固定された状態となっている。切欠８の位置に対応したガセット袋の平面板の外面にテープ材５が接着されている。切欠８は直径がテープ材５の幅と同じかやや大きめの円形状であって折目７の近傍に形成されている。突出熱接着部2aは切欠８の全体を覆う大きさで長手方向熱接着部２の内端から内方に突出するように形成されている。この構成とすることにより、ガセット袋の平面板を構成する積層フイルム１を切目６の箇所からテープ材と共に引き裂くことになるのできわめて容易に開封することができるものである。
【０００９】
実施形態の易開封袋を開封するには、ガセット袋の平面板の外面に接着されたテープ材５の端縁の切目６の両側を両手の指で掴むんで引き裂くことにより、図３に示すように、長手方向熱接着部２の切欠８が形成された部分および折込部４の積層フイルムが順次引き裂かれてゆくのでガセット袋を横方向に開封することができる。テープ材５は１軸延伸フイルムからなるものを使用しているので、テープ材５の端縁に設けられた切目６に沿ってテープ材５を容易に引き裂くことができ、テープ材５と共にテープ材５が接着されている積層フイルム１も容易に引き裂けるものである。テープ材５が接着される開封予定部は横方向熱接着部３の内側に隣接した位置とするのが一般的であるが、開封予定部の位置は任意でありガセット袋の上下方向の中央部としてもよい。
【００１０】
実施形態の易開封袋においては、開封予定部となるテープ材５が接着される位置に対応して長手方向熱接着部２の内端から内方に突出する突出熱接着部2aが形成されるとともに、突出熱接着部2aが形成された位置に対応する折込部４の積層フイルムの折目７の近傍に切欠８が形成された構成となっているが、突出熱接着部2aおよび切欠８を形成しない構成としても、側端の上下の長手方向熱接着部２を重ねてテープ材５の端縁の切目６から横方向に引き裂いて開封することは可能である。その場合には、切目６の長さは長手方向熱接着部２の幅の半分以下としておくことが必要である。
【００１１】
積層フイルム１を構成する基材層11としては、２軸延伸プラスチック、金属ないしは金属酸化物蒸着２軸延伸プラスチック、ポリ塩化ビニリデンコート２軸延伸プラスチック等の２軸延伸フイルム、およびそれらのフイルムとアルミニウム箔、紙等の積層体が使用できる。２軸延伸プラスチックとしては、２軸延伸ポリエチレンテレフタレート、２軸延伸ポリプロピレン、２軸延伸ナイロン等が使用でき、熱可塑性樹脂層12としては、低密度ポリエチレン、線状低密度ポリエチレン、中密度ポリエチレン、エチレン−酢酸ビニル共重合体、ポリプロピレン、エチレン−プロピレン共重合体、アイオノマー等が使用できる。積層フイルム１の構成としては、例えば、２軸延伸ポリエチレンテレフタレート（ＰＥＴ）／接着層／アルミニウム箔（ＡＬ）／接着層／ポリエチレン（ＰＥ）、２軸延伸ポリプロピレン（ＯＰＰ）／接着層／ＡＬ／接着層／ＰＥ、ＯＰＰ／接着層／アルミニウム蒸着ＰＥＴ／接着層／ＰＥ、２軸延伸ナイロン（ＯＮ）／接着層／ＡＬ／接着層／ＰＥ、ＯＮ／接着層／ＰＥ等である。
【００１２】
テープ材５としては、１軸延伸フイルムと粘着剤層との積層体、１軸延伸フイルムと熱接着性樹脂層との積層体が使用できる。１軸延伸ポリプロピレン、１軸延伸ポリエチレン等の１軸延伸フイルムを使用することによりテープ材はきわめて容易に引き裂くことができるようになる。テープ材５の構成としては、１軸延伸ポリプロピレン／粘着剤層、１軸延伸ポリプロピレン／熱接着性樹脂層、１軸延伸ポリエチレン／粘着剤層、１軸延伸ポリエチレン／熱接着性樹脂層等が使用できる。１軸延伸フイルムの厚さとしては５０〜６０μのものが好ましく、テープ材５の幅は５ｍｍ程度が適当である。粘着剤層としてはアクリル系樹脂、ポリエステル系樹脂からなる強粘着性の粘着剤を使用するのがよく、熱接着性樹脂層を構成する樹脂としては袋の外面が２軸延伸ポリエチレンテレフタレートの場合には変成ポリエステル系樹脂が、また袋の外面が２軸延伸ポリプロピレンの場合には変成ポリプロピレン系樹脂を使用するのが好ましい。
【００１３】
本発明の易開封袋を製造するには、基材層11と熱可塑性樹脂層12とを積層して積層フイルム１を作製し、ガセット袋を作製するために所定幅にスリットしてから、図４に示すように、ガセット袋の開封予定部に対応する両側の折込部となる折目の内側の位置に４箇所の所定大きさの切欠８を形成する。４箇所の切欠８が形成された積層フイルム１を使用して折目７にて折り曲げて両側部に折込部を形成し、両側端部に４箇所の長手方向熱接着部２を形成するとともに長手方向熱接着部２に直交する端縁部に横方向熱接着部３を形成して、図５（イ）に示すように、ガセット袋を作製する。この際に切欠８が形成された位置に対応させて両側端の長手方向熱接着部２の内端から内方に突出する突出熱接着部2aをそれぞれ形成する。次いで、図５（ロ）に示すように、切欠８が形成された位置に対応するガセット袋の平面板の外面に全幅にわたって１軸延伸フイルムからなるテープ材５を横方向熱接着部３に平行に接着して、接着されたテープ材５の両方の端縁の中央部に切目６を形成することにより、本発明の易開封袋ができあがる。
【００１４】
【実施例１】
厚さ１２μの２軸延伸ポリエチレンテレフタレートの一方の面にグラビア印刷により印刷層を設けた後に、その印刷層面に厚さ１５μの押出ポリエチレンにより厚さ７μのアルミニウム箔を積層し、更にアルミニウム箔面に厚さ１５μの押出ポリエチレンにより厚さ３０μの線状低密度ポリエチレンフイルムを積層して、２軸延伸ポリエチレンテレフタレート／印刷層／押出ポリエチレン／アルミニウム箔／押出ポリエチレン／線状低密度ポリエチレンフイルムからなる構成の積層フイルムを作製した。
上記積層フイルムをガセット袋を作製するために３４０ｍｍ幅にカットし、ガセット袋に製袋された状態で開封予定部に対応する位置の両側の折込部の折目の内側に５ｍｍ径の円形状の切欠をそれぞれ形成した。
上記のようにして作製した切欠を形成した積層フイルムを使用して、両側部に内方への折込部を形成し両側の４箇所の側端部に５ｍｍ幅の長手方向熱接着部を形成し、切欠が形成された位置に対応する長手方向熱接着部の内端に１０ｍｍ径の半円形状の突出熱接着部をそれぞれ形成し、長手方向熱接着部と直交する端縁部に横方向熱接着部を形成して、幅１１０ｍｍ、長さ２２０ｍｍ、折込幅３０＋３０ｍｍのガセット袋を作製した。
作製したガセット袋の開封予定部の表面および裏面の積層フイルムに全幅にわたって横方向熱接着部に平行に５ｍｍ幅の１軸延伸ポリプロピレン５０μ／ポリエステル系粘着剤３０ｇの構成のテープ材を接着し、テープ材の端縁の幅方向中央部の位置に３ｍｍの長さの切目を形成して易開封袋を作製した。
得られた易開封袋を接着されたテープ材の端部の切目の部分から引き裂くことにより、テープ材の切目の延長方向に積層フイルムを引き裂いて容易に開封することができた。
【００１５】
【発明の効果】
内面に熱可塑性樹脂層を有する積層フイルムからなり、対向する平面板間の両側部に内方への折込部を形成して折込部の端縁に４箇所の長手方向熱接着部を設け、長手方向熱接着部に直交した上下開口を閉止する横方向熱接着部を設けたガセット袋であって、ガセット袋の平面板の上下方向の同位置に横方向熱接着部に平行に全幅にわたって１軸延伸フイルムからなるテープ材が接着され、長手方向熱接着部におけるテープ材の端縁の中央部に切目が設けられた構成の易開封袋であるので、長手方向熱接着部におけるテープ材の端縁の中央部に形成された切目の箇所から引き裂くことにより、切目に沿って１軸延伸フイルムからなるテープ材が容易に引き裂けるとともにテープ材が接着されている積層フイルムを同時に引き裂くことができるので、ガセット袋を横方向に引き裂いて容易に開封することができるものである。
上記の易開封袋において、テープ材が接着された位置に対応する折込部の積層フイルムに折目に隣接する切欠が形成され、切欠から露出する積層フイルムの熱可塑性樹脂層面同士が熱接着されるとともに、切欠が形成された部分の全体を覆うように長手方向熱接着部の内端から内方に突出する突出熱接着部が形成された構成とすることにより、折込部の積層フイルムに切欠が形成されているので切欠が形成された長手方向熱接着部は積層フイルムが２層となっているとともに上下の長手方向熱接着部が切欠を通して接着され一体化されているので、テープ材の端縁の切目の箇所からきわめて容易に引き裂くことができるので開封がより容易となる。
【図面の簡単な説明】
【図１】本発明の易開封袋の実施形態を示す斜視図。
【図２】図１におけるＩ−Ｉ断面図。
【図３】実施形態の易開封袋を開封する状態を示す斜視図。
【図４】実施形態の易開封袋を作製する積層フイルムの展開した状態を示す図。
【図５】製造途中の状態を示すもので（イ）はガセット袋に製袋した状態の平面図で（ロ）は平面板にテープ材を接着した状態の平面図。
【符号の説明】
１  積層フイルム
11  基材層
12  熱可塑性樹脂層
２  長手方向熱接着部
2a  突出熱接着部
３  横方向熱接着部
４  折込部
５  テープ材
６  切目
７  折目
８  切欠
【図１】
0004043592.tif 000002
【図２】
0004043592.tif 000003
【図３】
0004043592.tif 000004
【図４】
0004043592.tif 000005
【図５】
0004043592.tif 000006